(57)【要約】【課題】ワイパーアームからの押圧力が弱い場合でも、払拭部が適切な倒れ角で傾くことができるようにしたワイパーブレードを提供する。【解決手段】支持部２と払拭部材３を備え、払拭部材３に本体部３１と払拭部３２と連結部３３を備えたワイパーブレード１において、本体部３１に設けた被保持部３５が、支持部２に設けた収容部２２内に回動可能に保持されるようにし、払拭動作時に押圧力が弱い場合でも、連結部３３の屈曲に被保持部３５の回動が加わることにより、払拭部３２が適切な倒れ角で倒れるようにした。【選択図】      図２
2019202585.tif 000002
【特許請求の範囲】
【請求項１】
支持部と、前記支持部に支持される払拭部材とを備えたワイパーブレードにおいて、
前記払拭部材は、前記支持部に保持される被保持部を備え、
前記支持部は、前記払拭部材の前記被保持部を収容して保持する収容部を備え、
前記被保持部は、前記収容部内において前記払拭部材の長手方向の周りで回動可能となっているワイパーブレード。
【請求項２】
前記払拭部材は、本体部と、被払拭面を払拭する払拭部と、前記本体部と前記払拭部を連結する連結部とを備え、
前記被保持部は、前記本体部に設けられている請求項１に記載のワイパーブレード。
【請求項３】
前記被保持部は、中央部と、前記中央部の前記払拭部材の長手方向に直交する方向の両側に設けられた両側の側部とを備え、
前記両側の側部は、前記中央部よりも厚みが小さくなっており、
前記中央部は前記収容部の内面に接触状態で配置され、前記両側の側部と前記収容部の内面との間に隙間が形成されるようにした請求項１又は請求項２に記載のワイパーブレード。
【請求項４】
前記被保持部の幅は、前記収容部の幅と等しく設定されている請求項３に記載のワイパーブレード。
【請求項５】
前記被保持部は、前記払拭部材の長手方向に直交する断面が楕円形状を有している請求項３又は請求項４に記載のワイパーブレード。
【請求項６】
前記被保持部は、前記払拭部材の長手方向に直交する断面が円形を有しており、
前記収容部は、前記被保持部がちょうど嵌合する円柱形の収容空間を有している請求項1又は請求項２に記載のワイパーブレード。
【発明の詳細な説明】
【技術分野】
【０００１】
本発明は、車両用ワイパー装置に備えられるワイパーブレードに関する。
【背景技術】
【０００２】
自動車等の車両用のワイパー装置に備えられるワイパーブレードは、ワイパーアームに連結される支持部と、支持部に支持される払拭部材とを備え、払拭部材により車両のガラス面等の被払拭面を払拭するようになっている。図５には、このような従来のワイパーブレード１００の断面形状（長手方向に直交する断面形状）を示す。図示されるように、ワイパーブレード１００は、ワイパーアーム（図示せず）に連結される支持部１０１と、支持部１０１に支持される払拭部材であるブレード部１０２とを備えている。
【０００３】
ブレード部１０２は、支持部１０１に保持される本体部１０３と、被払拭面（例えば自動車のガラス面）を払拭する部分である払拭部１０４と、本体部１０３と払拭部１０４を連結する連結部１０５とを備えている。支持部１０１には、本体部１０３を保持するための収容部１０１Ａが備えられており、本体部１０３の被保持部１０３Ａが収容部１０１Ａ内に嵌合して固定されることにより、本体部１０３が支持部１０１に対して固定状態で保持されるようになっている。
【０００４】
ブレード部１０２の連結部１０５は、本体部１０３及び払拭部１０４よりも幅が狭い部分となっている。これにより、払拭時にワイパーブレード１００がその長手方向と直交する方向（図５の左右方向）に動くと、連結部１０５が左右に屈曲する結果、払拭部１０４が払拭の進行方向と反対側に傾き、スムーズで安定した払拭がなされるようになっている。なお、図５には、払拭部１０４が左側に傾いた状態（ワイパーブレード１０１が右側に向けて動いている状態）を示している。
【先行技術文献】
【特許文献】
【０００５】
【特許文献１】特許第５５９６１０７号
【特許文献２】特許第５６３９６７１号
【発明の概要】
【発明が解決しようとする課題】
【０００６】
ところで、このようなワイパーブレード１００による払拭作業時において、ワイパーアームからワイパーブレード１００に作用する押圧力が小さな場合であっても、払拭部１０４に十分な傾き（倒れ角）を確保するためには、連結部１０５の幅を出来るだけ狭くして、連結部１０５を屈曲し易くする必要がある。しかしながら、その一方で、成形時における切断等を防止するため、ブレード部１００の連結部１０５の幅を小さくするのには限界がある。このため、押圧力の大きさが不十分な場合には、払拭部１０４の適切な倒れ角が確保できず、スムーズな払拭が行なえないことがあった。
【０００７】
本発明は、このような問題点に着目してなされたもので、ワイパーアームからの押圧力が弱い場合でも、払拭部が適切な倒れ角で傾くことができるようにしたワイパーブレードを提供することを目的とする。
【課題を解決するための手段】
【０００８】
本発明では、支持部と、前記支持部に支持される払拭部材とを備えたワイパーブレードにおいて、前記払拭部材は、前記支持部に保持される被保持部を備え、前記支持部は、前記払拭部材の前記被保持部を収容して保持する収容部を備え、前記被保持部は、前記収容部内において前記払拭部材の長手方向の周りで回動可能となっているようにした。
【０００９】
前記払拭部材は、本体部と、被払拭面を払拭する払拭部と、前記本体部と前記払拭部を連結する連結部とを備え、前記被保持部は、前記本体部に設けられていてもよい。
【００１０】
前記被保持部は、中央部と、前記中央部の前記払拭部材の長手方向に直交する方向の両側に設けられた両側の側部とを備え、前記両側の側部は、前記中央部よりも厚みが小さくなっており、前記中央部は前記収容部の内面に接触状態で配置され、前記両側の側部と前記収容部の内面との間に隙間が形成されるようにしてもよい。
【００１１】
前記被保持部の幅は、前記収容部の幅と等しく設定されていてもよい。
【００１２】
前記被保持部は、前記払拭部材の長手方向に直交する断面が楕円形状を有していてもよい。
【００１３】
前記被保持部は、前記払拭部材の長手方向に直交する断面が円形を有しており、前記収容部は、前記被保持部がちょうど嵌合する円柱形の収容空間を有していてもよい。
【発明の効果】
【００１４】
本発明によれば、払拭部材（例えばブレード部３）の被保持部（例えば被保持部３５、４５、５５）が、支持部（例えば支持部２）の収容部（例えば収容部２２、５２）内で回動可能となっているので、ワイパーアームからワイパーブレード（例えばワイパーブレード１）に加わる押圧力が弱い場合でも、被保持部の回動によって払拭部材を適切に倒れた状態にすることができ、高い払拭性能を確保できる。
【００１５】
払拭部材に、本体部（例えば本体部３１）と払拭部（例えば払拭部３２）と連結部（例えば連結部３３）を備えれば、払拭部の倒れ角は、連結部の屈曲角度に被保持部の回動角度を加えたものとなるので、連結部に十分な強度を与えて屈曲し難くしたとしても、小さな押圧力で必要な倒れ角を得ることができる。
【００１６】
被保持部に、中央部（例えば中央部３５Ａ）と、中央部よりも厚みの小さな両側の側部（例えば側部３５Ｂ）を備え、中央部が収容部の内面（例えば上側内面２２Ａ）に接触状態で配置される一方で、両側の側部と収容部の内面（例えば上側内面２２Ａ及び保持片２３の上面）との間に隙間が形成されるようにすれば、収容部内で安定して回動可能な被保持部を簡素な構成で実現できる。また、被保持部と収容部の内面との接触面積が小さくなるので、払拭部材を支持部に対して長手方向に動きやすくでき、払拭動作時における払拭部材の被払拭面への追従性を高めることができる。
【００１７】
被保持部の幅を収容部の幅と同一とすれば、被保持部の幅方向へのガタツキを抑制できるので、払拭部材による安定した払拭を行うことができる。
【００１８】
払拭部材の被保持部（例えば被保持部４５）を楕円形状の断面を有するものとすれば、収容部内で安定して回動する被保持部を、単純な形状で形成できる。
【００１９】
払拭部材の被保持部（例えば被保持部５５）を円形の断面を有するものものとし、収容部（例えば収容部５２）を被保持部がちょうど嵌合する円柱形の収容空間を有するものすれば、収容部内で安定的に回動する被保持部を単純な形状で構成できるとともに、被保持部と収容部の内面との摩擦により、被保持部の回動に対して適度な抵抗を与えることできる。
【図面の簡単な説明】
【００２０】
【図１】ワイパーブレードを示す斜視図である。
【図２】本発明の第１実施形態におけるワイパーブレードの断面図である。
【図３】本発明の第２実施形態におけるワイパーブレードの断面図である。
【図４】本発明の第３実施形態におけるワイパーブレードの断面図である。
【図５】従来のワイパーブレードの断面図である。
【発明を実施するための形態】
【００２１】
以下、添付図面に基づいて本発明の実施形態について説明する。
図１には、ワイパーブレード１の全体構成を示す。図示されるように、ワイパーブレード１は、長手方向の略中央部に配置された支持部２と、支持部２に支持されたブレード部３を備えている。なお、支持部２の上側部分は、図示されないワイパーアームと結合されるための結合部２１となっている。
【００２２】
ブレード部３は、例えばゴム製の長尺部材であり、支持部２の下方に配置されている。ワイパーブレード１の使用時には、ブレード部３は被払拭面上に接触状態で配置され、ワイパーブレード１が被払拭面に沿って動かされることにより、被払拭面（例えば車両のガラス面）が払拭されるようになっている。
【００２３】
図２には、本発明の第１実施形態におけるワイパーブレードの支持部２の部分における断面（ワイパーブレードの長手方向に直交する断面）を示す。なお、簡明のため、図２においては、支持部２の下側部分のみが示され、結合部２１を構成する上側部分については図示が省略されている。
【００２４】
支持部２には、後述するブレード部３の被保持部を保持するための収容部２２が備えられている。収容部２２は、支持部２の下端面に開口した凹部であり、支持部２の長手方向（ブレード部３の長手方向と一致する）に向けて、支持部２の全長にわたって延びている。収容部２２の下端部の両側には、保持片２３が開口内に向けて延び出している。
【００２５】
ブレード部３は、支持部２に保持される本体部３１と、被払拭面側に配置される払拭部３２と、本体部３１と払拭部３２を連結する連結部３３とを備えている。本体部３１、払拭部３２及び連結部３３は、いずれもブレード部３の長手方向の全長にわたって延びている。払拭部３２は、先細りとなった下端部３２Ａを備え、下端部３２Ａにおいて被払拭面に接触して、被払拭面を払拭するようになっている。
【００２６】
連結部３３は、本体部３１及び払拭部３２に比較して幅が狭い部分なっている。これにより、払拭時にワイパーブレード１が長手方向と直交する方向に動かされると、連結部３３が屈曲することにより、ブレード部３の払拭部３２が左右方向に倒れ、適切な払拭がなされるようになっている。なお、図２においては、ワイパーブレードが図の右側に動いており、払拭部３２が図の左側（払拭方向と反対側）に倒れた状態を示している。
【００２７】
本体部３１の両側側面には、長手方向の全長にわたって溝部３４が形成されており、この溝部３４の上側部分が被保持部３５となっている。これにより、支持部２の両側の保持片２３を両側の溝部３４に嵌合させると、被保持部３５が収容部２２内（収容部２２の内周面によって取り囲まれる収容空間内）に収容され、保持片２３によって下側から保持されるようになっている。
【００２８】
被保持部３５は、左右幅方向の中央に配置された中央部３５Ａと、中央部３５Ａの両側から延びる側部３５Ｂを備えている。中央部３５Ａは、上方に向けて膨らんだ湾曲形状を有しており、上側において収容部２２の上側内面２２Ａに接触している。一方、両側の側部３５Ｂは、中央部３５Ａよりも上下方向の厚みが小さくなっており、側部３５Ｂと上側内面２２Ａ及び保持片２３の上面の間には、それぞれ上下方向の隙間が形成されるようになっている。
【００２９】
このような構成により、被保持部３５は、ブレード部３の長手方向の周りで（両側の側部３５Ｂが上下に往復動するように）回動可能となっている。これにより、ワイパーブレードの使用時（払拭動作時）には、連結部３３が屈曲するのに加えて、収容部２２内で被保持部３５が回動するので、払拭部３２の倒れ角度は、連結部３３の屈曲角度に被保持部３５の回動角度を加えたものとなる。したがって、連結部３３の強度を高めて屈曲量を小さくしたとしても、ワイパーアームからワイパーブレードに対する押圧力が小さい場合に、適切な払拭性能を得るために十分な大きさの倒れ角で払拭部３２が倒れるようにできる。
【００３０】
また、被保持部３５と収容部の内周面（内側上面２２Ａ及び内側側面２２Ｂ）の接触面積が小さくなるので、払拭動作中に、ブレード部３が支持部２に対して長手方向にも動きやすくなる。したがって、払拭動作中において、ブレード部３が被払拭面の形状に応じて適切に変形することができ（被払拭面に対する追従性が高まり）、この点でも払拭性能が向上する。また、支持部２へのブレード部３の組み付けも容易となる。
【００３１】
なお、上記のような被保持部３５の回動においては、被保持部３５の側部３５Ｂが上方に動いたときは上側内面２２Ａに、また下方に動いたときには保持片２３にそれぞれ当接するので、被保持部３５の回動範囲は、適切に制限されるようになっている。
【００３２】
被保持部３５の左右の幅は、収容部２２の左右の幅と略等しく設定されている。これにより、被保持部３５が収容部２２で左右に位置がずれた場合には、被保持部３５の側端（側部３５Ｂの端部）が収容部２２の内側側面２２Ｂに接触し、それ以上のずれが防止されるので、収容部２２内における被保持部３５の左右方向へのガタツキは適切に抑制され、安定した払拭を行うことができるようになっている。
【００３３】
図３には、本発明の第２の実施形態におけるワイパーブレードの断面形状を示す。なお、本実施形態は、上記第１実施形態と比較して、ブレード部（払拭部材）における被保持部の構成（形状）のみが異なっている。したがって、以下の説明では、上記第１実施形態と共通の構成は同一の符号で示し、説明を省略している。
【００３４】
図示されるように、本実施形態において、ブレード部３の被保持部４５は、略楕円形断面を有している。これにより、収容部２２内に配置された被保持部４５は、中央の上下に膨らんだ部分で上側内面２２Ａに接触する一方で、両側部分では上下に隙間が形成される。したがって、収容部２２内で適切に回動する被保持部４５を、より単純な形状で構成することができる。
【００３５】
図４には、本発明の第２実施形態におけるワイパーブレードの断面形状を示す。本実施形態は、支持部２に、上記第１及び第２実施形態の収容部２２に代えて、円筒形の収容空間を有する収容部５２を備えるとともに、ブレード部３に、収容部５２にちょうど嵌合する円形断面（円柱形）の被保持部５５を備えたものである。このような形態によっても、被保持部５５は、ワイパーブレードの長手方向の周りで（被保持部５５の円柱形状の中心軸の周りで）、収容部５２内で適切に回動するようにできる。この場合、被保持部５５の回動に対しては、収容部５２の内周面との間の摩擦により、適度な抵抗が与えられる。
【００３６】
なお、上記各実施形態において、収容部２２、５２内で被保持部３５、４５、５５を回動可能とするための構成は、本体部３１の長手方向の全体に設ける必要はなく、本体部３１の少なくとも収容部２２、５２に収容される部分に設けられていればよい。
【符号の説明】
【００３７】
１  ワイパーブレード
２  支持部
３  ブレード部
２１  結合部
２２  収容部
２２Ａ  収容部の内側上面
２２Ｂ  収容部の内側側面
２３  保持片
３１  ブレード部の本体部
３２  ブレード部の払拭部
３３  ブレード部の連結部
３４  本体部の溝部
３５  本体部の被保持部
３５Ａ  被保持部の中央部
３５Ｂ  被保持部の側部
４５  被保持部
５２  収容部
５５  被保持部
【図１】
2019202585.tif 000003
【図２】
2019202585.tif 000004
【図３】
2019202585.tif 000005
【図４】
2019202585.tif 000006
【図５】
2019202585.tif 000007
【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
支持部と、前記支持部に支持される払拭部材とを備えたワイパーブレードにおいて、
前記払拭部材は、前記支持部に保持される被保持部を備え、
前記支持部は、前記払拭部材の前記被保持部を収容して保持する収容部を備え、
前記被保持部は、前記収容部内において前記払拭部材の長手方向の周りで回動可能となっており、
前記被保持部は、中央部と、前記中央部の前記払拭部材の長手方向に直交する方向の両側に設けられた両側の側部とからなり、
前記中央部は、前記両側の側部に対して湾曲して突出した突出部となっており、前記収容部の内面に接触状態で配置されており、
前記両側の側部は、前記中央部との間に段差が形成されるように前記中央部から側方に向けて真っ直ぐに延び出しており、これにより、前記両側の側部と前記収容部の内面との間に前記被保持部を回動可能とするための隙間が形成されるようになっているワイパーブレード。
【請求項２】
前記払拭部材は、本体部と、被払拭面を払拭する払拭部と、前記本体部と前記払拭部を連結する連結部とを備え、
前記被保持部は、前記本体部に設けられている請求項１に記載のワイパーブレード。
【請求項３】
前記収容部は、前記払拭部側に開口を備え、
前記収容部の前記開口側の端部には、前記開口内に向けて延び出す保持片が設けられ、
前記被保持部は、前記側部が前記収容部の前記開口と反対側の内面に接する位置から、前記側部が前記保持片に接する位置までの回動範囲で回動可能になっている請求項２に記載のワイパーブレード。
【請求項４】
前記被保持部の幅は、前記収容部の幅と等しく設定されている請求項１から請求項３のいずれか1項に記載のワイパーブレード。
【手続補正２】
【補正対象書類名】明細書
【補正対象項目名】０００８
【補正方法】変更
【補正の内容】
【０００８】
本発明は、支持部と、前記支持部に支持される払拭部材とを備えたワイパーブレードにおいて、前記払拭部材は、前記支持部に保持される被保持部を備え、前記支持部は、前記払拭部材の前記被保持部を収容して保持する収容部を備え、前記被保持部は、前記収容部内において前記払拭部材の長手方向の周りで回動可能となっており、前記被保持部は、中央部と、前記中央部の前記払拭部材の長手方向に直交する方向の両側に設けられた両側の側部とからなり、前記中央部は、前記両側の側部に対して湾曲して突出した突出部となっており、前記収容部の内面に接触状態で配置されており、前記両側の側部は、前記中央部との間に段差が形成されるように前記中央部から側方に向けて真っ直ぐに延び出しており、これにより、前記両側の側部と前記収容部の内面との間に前記被保持部を回動可能とするための隙間が形成されるようになっている。
【手続補正３】
【補正対象書類名】明細書
【補正対象項目名】００１０
【補正方法】変更
【補正の内容】
【００１０】
前記収容部は、前記払拭部側に開口を備え、前記収容部の前記開口側の端部には、前記開口内に向けて延び出す保持片が設けられ、前記被保持部は、前記側部が前記収容部の前記開口と反対側の内面に接する位置から、前記側部が前記保持片に接する位置までの回動範囲で回動可能になっていてもよい。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１６
【補正方法】変更
【補正の内容】
【００１６】
被保持部に、中央部（例えば中央部３５Ａ）と、中央部よりも厚みの小さな両側の側部（例えば側部３５Ｂ）を備え、中央部が収容部の内面（例えば上側内面２２Ａ）に接触状態で配置される一方で、両側の側部と収容部の内面（例えば上側内面２２Ａ及び保持片２３の上面）との間に隙間が形成されるようにしたので、収容部内で安定して回動可能な被保持部を簡素な構成で実現できる。また、被保持部と収容部の内面との接触面積が小さくなるので、払拭部材を支持部に対して長手方向に動きやすくでき、払拭動作時における払拭部材の被払拭面への追従性を高めることができる。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】変更
【補正の内容】
【００２０】
【図１】ワイパーブレードを示す斜視図である。
【図２】本発明の実施形態におけるワイパーブレードの断面図である。
【図３】本発明の参考例におけるワイパーブレードの断面図である。
【図４】本発明の参考例におけるワイパーブレードの断面図である。
【図５】従来のワイパーブレードの断面図である。
【手続補正１０】
【補正対象書類名】明細書
【補正対象項目名】００２３
【補正方法】変更
【補正の内容】
【００２３】
図２には、本発明の実施形態におけるワイパーブレードの支持部２の部分における断面（ワイパーブレードの長手方向に直交する断面）を示す。なお、簡明のため、図２においては、支持部２の下側部分のみが示され、結合部２１を構成する上側部分については図示が省略されている。
【手続補正１１】
【補正対象書類名】明細書
【補正対象項目名】００３３
【補正方法】変更
【補正の内容】
【００３３】
図３には、本発明の参考例におけるワイパーブレードの断面形状を示す。なお、本参考例は、上記実施形態と比較して、ブレード部（払拭部材）における被保持部の構成（形状）のみが異なっている。したがって、以下の説明では、上記実施形態と共通の構成は同一の符号で示し、説明を省略している。
【手続補正１２】
【補正対象書類名】明細書
【補正対象項目名】００３４
【補正方法】変更
【補正の内容】
【００３４】
図示されるように、本参考例において、ブレード部３の被保持部４５は、略楕円形断面を有している。これにより、収容部２２内に配置された被保持部４５は、中央の上下に膨らんだ部分で上側内面２２Ａに接触する一方で、両側部分では上下に隙間が形成される。したがって、収容部２２内で適切に回動する被保持部４５を、より単純な形状で構成することができる。
【手続補正１３】
【補正対象書類名】明細書
【補正対象項目名】００３５
【補正方法】変更
【補正の内容】
【００３５】
図４には、本発明の他の参考例におけるワイパーブレードの断面形状を示す。本参考例は、支持部２に、上記実施形態の収容部２２に代えて、円筒形の収容空間を有する収容部５２を備えるとともに、ブレード部３に、収容部５２にちょうど嵌合する円形断面（円柱形）の被保持部５５を備えたものである。このような形態によっても、被保持部５５は、ワイパーブレードの長手方向の周りで（被保持部５５の円柱形状の中心軸の周りで）、収容部５２内で適切に回動するようにできる。この場合、被保持部５５の回動に対しては、収容部５２の内周面との間の摩擦により、適度な抵抗が与えられる。
【手続補正１４】
【補正対象書類名】明細書
【補正対象項目名】００３６
【補正方法】変更
【補正の内容】
【００３６】
なお、上記実施形態において、収容部２２内で被保持部３５を回動可能とするための構成は、本体部３１の長手方向の全体に設ける必要はなく、本体部３１の少なくとも収容部２２に収容される部分に設けられていればよい。